(57)【要約】【課題】ユーザーの望みに応えつつ、コスト削減をも図る照明器具を提供することにある。【解決手段】灯具８０と、灯具８０を取り付けるための開口部４０を複数個有する四角形状の枠体２０とを備えた照明器具１０において、枠体２０は、少なくとも２つの分割枠体３０からなり、分割枠体３０は、それぞれに少なくとも１つの開口部４０を有し、隣接する２つの分割枠体３０は、２つの分割枠体３０が隣接する辺の近傍である隣接部が互いに重なり合うように配置され、分割枠体３０は、２つの分割枠体３０同士がスライド可能なレール部７０を有することを特徴とする照明器具。【選択図】図１
2015005415.tif 000002
【特許請求の範囲】
【請求項１】
灯具と、前記灯具を取り付けるための開口部を複数個有する四角形状の枠体とを備えた照明器具において、
前記枠体は、少なくとも２つの分割枠体からなり
前記分割枠体は、それぞれに少なくとも１つの前記開口部を有し、
隣接する２つの前記分割枠体は、２つの前記分割枠体が隣接する辺の近傍である隣接部が互いに重なり合うように配置され、
前記分割枠体は、２つの前記分割枠体同士がスライド可能なレール部を有することを特徴とする照明器具。
【請求項２】
前記分割枠体における前記隣接部付近に突起部を有し
２つの前記分割枠体における前記突起部が係合することを特徴とする請求項１記載の照明器具。
【請求項３】
前記隣接部にパッキンを設けたことを特徴とする請求項１または２記載の照明器具。
【発明の詳細な説明】
【技術分野】
【０００１】
本発明は、照明器具に関するものである。
【背景技術】
【０００２】
従来より、灯具をベースプレートの器具本体に取り付ける照明器具が知られている（例えば特許文献１参照）。
【先行技術文献】
【特許文献】
【０００３】
【特許文献１】特開２０１２−１１３９２８号公報
【発明の概要】
【発明が解決しようとする課題】
【０００４】
しかしながら、天井に設置する照明器具において、ユーザーの望みに合ったものを提供するためには、多数のラインナップを取り揃えておく必要があった。
【０００５】
それ故、ユーザーの望みに応えるために４灯用、６灯用とあらゆる灯具数に応じて全てのラインナップを取り揃えておく必要があり、金型コスト、在庫保有などのコストが大きくかかっていた。
【０００６】
そこで、本発明の目的は、ユーザーの望みに応えつつ、コスト削減をも図る照明器具を提供することにある。
【課題を解決するための手段】
【０００７】
本発明の照明器具は、灯具と、前記灯具を取り付けるための開口部を複数個有する四角形状の枠体とを備えた照明器具において、前記枠体は、少なくとも２つの分割枠体からなり前記分割枠体は、それぞれに少なくとも１つの前記開口部を有し、隣接する２つの前記分割枠体は、２つの前記分割枠体が隣接する辺の近傍である隣接部が互いに重なり合うように配置され、前記分割枠体は、２つの前記分割枠体同士がスライド可能なレール部を有する照明器具である。
【０００８】
また、本発明の照明器具は、前記分割枠体における前記隣接部付近に突起部を有し２つの前記分割枠体における前記突起部が係合する照明器具であってもよい。
【０００９】
また、本発明の照明器具は、前記隣接部にパッキンを設けた照明器具であってもよい。
【発明の効果】
【００１０】
本発明は、ユーザーの望みに応えつつ、コスト削減をも図る照明器具を提供することができる。
【図面の簡単な説明】
【００１１】
【図１】本発明における照明器具の上面図
【図２】本発明における照明器具の斜視図
【図３】本発明における照明器具の側面図
【発明を実施するための形態】
【００１２】
以下、本発明の実施の形態について図１、２を用いて説明する。
【００１３】
図１には、本発明に係る照明器具１０の上面図を示している。照明器具１０は枠体２０と吊り下げ金具５０からなっている。
【００１４】
分割枠体２０は、３つの分割枠体３０からなっている。両側の分割枠体３０には開口部４０を１つ設け、真ん中の分割枠体３０には２つの開口部４０を設けた例を示している。
【００１５】
また、分割枠体３０の個数は３つ限られるものではなく、２つであってもよい。さらに、分割枠体３０に設けている開口部４０の数も上述の個数に限られるものではない。例えば、３つの分割枠体３０から枠体２０が形成されているような場合、両側の分割枠体３０に開口部４０を２つ設け、真ん中の分割枠体３０に４つの開口部４０を設けてもよい。開口部４０の個数を増やすことで、枠体２０をスライドさせた際の開口部４０の個数のバリエーションが増える。
【００１６】
また、隣合う分割枠体３０のスライド方向に対して垂直な辺は、互いに長さが異なっている。隣り合う分割枠体３０における、スライド方向に対して垂直な辺の長さを異ならせることで、互いの分割枠体３０が、どちらかの分割枠体３０の内側にスライド可能な状態となる。スライド可能とするために、下記説明するレール部７０が設けられている。
【００１７】
また、枠体２０には吊り下げ金具５０が設けられている。吊り下げ金具５０は、照明器具１０を天井に設置する際、吊り下げ金具５０を天井裏の柱に取り付けるために活用される。この柱と吊り下げ金具５０はネジによって固定されるため、吊り下げ金具５０にはネジ穴６０が設けられている。このネジ穴６０にネジを通し、柱と吊り下げ金具５０を固定することで、照明器具１０を天井面に固定する。図１に示す照明器具１０においては、両側の分割枠体３０に吊り下げ金具５０が設けられている。
【００１８】
なお、吊り下げ金具５０を設ける位置に関しては、上述のように両側の分割枠体３０に設けるものに限られない。例えば、両側の分割枠体３０および真ん中の分割枠体３０の計３つの吊り下げ金具５０を設けてもより。吊り下げ金具５０の設置個数が増えることにより、より安定して照明器具１０を柱に固定することが可能となる。
【００１９】
また、分割枠体３０には、それぞれ隣接する分割枠体３０同士がスライドすることが可能なようにレール部７０を有している。隣り合う分割枠体３０の隣接する辺の近傍を隣接部９０とし、この隣接部９０が互いに重なり合うように配置することで、２つの分割枠体３０のレール部７０が勘合し、スライドすることで枠体２０をスライドさせることが可能となる。
【００２０】
ここで、レール部７０について説明をする。レール部７０は凹形状をしているものと凸形状をしているものとの２種類からなっている。この２種類のレール部７０の使い分けに関しては、隣接する分割枠体３０において異なる形状のレール部７０を用いなければならない。異なる形状のレール部７０を隣接する分割枠体３０に用いることで、レール部７０同士が勘合し、２つの分割枠体３０がスライド可能な状態で保持されるようになる。
【００２１】
なお、ここではレール部７０の形状として凹凸形状の例を挙げたが、凹凸形状に限られるものではない。その他、分割枠体３０がスライド可能となるようなレール部７０の形状であれば、通常当業者が考え得る範囲で用いることが可能である。
【００２２】
また、分割枠体３０を最大限伸ばしきった状態から、分割枠体３０をスライドさせた際、隣り合う分割枠体３０の開口部４０が互いに重なり合うように設計されている。このように、開口部４０が重なり合うことによって、２つの開口部４０が１つ開口部４０となり
、その重なり合った開口部４０に灯具８０が装着可能である。
【００２３】
上記のように、分割枠体３０をスライドさせることで、枠体２０の長手方向に対する長さを自在に変更することが可能であり、ユーザーが求める大きさおよび、灯数に変更することが可能となる。その結果、照明器具１０を販売する側にとっても、異なる灯数の照明器具１０の在庫保有数を軽減することができコスト削減効果も期待される。
【００２４】
一方、分割枠体３０を伸ばす方向にスライドさせ、いずれの開口部４０同士も重なり合わず、いずれの開口部４０に対しても灯具８０を取り付け可能な状態で照明器具１０として活用することが可能である。このような状態で活用することで、灯具８０の設置個数が増え、多くの灯具８０を設置したいと望むユーザーの要望にも応えることが可能となる。
【００２５】
図１は、上述の通り、３つの分割枠体３０の例を示している。また両側の分割枠体３０には開口部４０が１つずつ設けられ、真ん中の分割枠体３０には開口部４０が２つ設けられている。
【００２６】
この図１に示す照明器具１０は、最大４つの開口部４０を有する照明器具１０として提供可能であるし、また、最小２つの開口部４０を有する照明器具１０としても提供可能である。その上、両側の分割枠体３０を必ずしも同時にスライドさせなければならないという制約はない。すなわち、左もしくは右、どちらか一方の分割枠体３０をスライドさせることで３つの開口部を有する照明器具１０も提供することが可能となる。
【００２７】
なお、図１に示す開口部４０の数は一例であって、上記に示す数に限定されるものではない。例えば、両側の分割枠体３０に開口部４０が２つ以上設けられていてもよいし、真ん中の分割枠体３０に開口部４０が２つ以上設けられていてもよい。
【００２８】
次に突起部１００について説明する。突起部１００は分割枠体３０のレール部７０の端部に設けられている。突起部１００を設けることによって、分割枠体３０を最大限伸ばした際に、分割枠体３０が隣接する分割枠体３０のレール部７０から脱落することを防ぐことができる。
【００２９】
突起部１００を設ける位置に関しては、レール部７０の端部であってもよいが、レール部７０上のいずれの場所であってもよく、分割枠体３０を可動させた際に、可動範囲を制限したい範囲で突起部１００を設けることが可能である。
【００３０】
次にパッキン１１０について説明する。パッキン１１０は、隣接部９０付近の分割枠体３０のレール部７０側に設けられている。パッキン１１０は分割枠体３０をスライドさせた際に、２つの分割枠体３０のガタツキを防止するために設けられている。ガタツキを防止するためにも、パッキン１１０は弾力性を有する材料あることが好ましい。本実施例ではスポンジ材を用いている。
【００３１】
なお、パッキン１１０に関してはスポンジ材に限られるものではなく、例えば、ゴムなどでもよい。さらに。これに限られるものではなく、通常当業者であれば想起し得るものであれば転用可能である。
【００３２】
また、パッキン１１０の形状は、四角形状である。これは、分割枠体３０が四角形状をしているので、パッキン１１０の設置位置にパッキン１１０を張り合わせるのに都合のよい形状だからである。しかしながら、パッキン１１０の形状に関しては、円形、三角形状などいずれの形状であってもよい。
【００３３】
上記照明器具１０の材質は、アルミニウム製である。しかし、アルミニウム製に限定されるものではなく、灯具８０を開口部４０に装着した際であっても形状が変化しない材質であればよい。例えば、鉄や樹脂が考えられるが、その他いずれの材質であってもよい。
【００３４】
また、照明器具１０の材質と同様、吊り下げ金具５０の材質も鉄や、その他いずれの材質であってもよい。
【産業上の利用可能性】
【００３５】
本発明は、ＬＥＤ照明器具を天井面に設ける際に用いる照明器具である。
【符号の説明】
【００３６】
１０  照明器具
２０  枠体
３０  分割枠体
４０  開口部
５０  吊り下げ金具
６０  ネジ穴
７０  レール部
８０  灯具
９０  隣接部
１００  突起部
１１０  パッキン
【図１】
2015005415.tif 000003
【図２】
2015005415.tif 000004
【図３】
2015005415.tif 000005